(57)【要約】【課題】被取付部に対し装飾体を簡単に着脱可能に装着して、装飾体を簡便に付け替えて使用可能とすることができる装飾体の取付構造を提供する。【解決手段】被取付部としてのヘアークリップ２にはマグネット止め具４のマグネット止め具本体５が固定され、装飾体としての造花３の底部には、マグネット止め具本体５に吸着可能な磁性金属板１０が取り付けられる。造花３の底部の磁性金属板１０をヘアークリップ２上のマグネット止め具本体５に吸着させて使用する。【選択図】図１
0003127192.tif 000002
【実用新案登録請求の範囲】
【請求項１】
装飾体が被取付部に対しマグネット止め具を介して着脱可能に取り付けられる装飾体の取付構造であって、
該被取付部にはマグネット止め具本体が取着され、該装飾体の底部には、該マグネット止め具本体に吸着可能な磁性金属板が取着され、該装飾体の底部の磁性金属板を、該被取付部上のマグネット止め具本体に吸着させることを特徴とする装飾体の取付構造。
【請求項２】
前記被取付部をヘアークリップとし、該ヘアークリップの上部に前記マグネット止め具本体を接着し、前記装飾体を造花とし、該造花の底部に前記磁性金属板を接着し、該磁性金属板を該マグネット止め具本体に吸着させて、該ヘアークリップ上に該造花を付け替え可能に取り付けて髪飾りとしたことを特徴とする請求項１記載の装飾体の取付構造。
【考案の詳細な説明】
【技術分野】
【０００１】
本考案は、髪飾り、鞄用装飾体、靴用装飾体などにおける装飾体の取付構造に関する。
【背景技術】
【０００２】
従来、例えばヘアークリップ式の髪飾りは、通常、ヘアークリップ上部に、装飾体を接着剤により接着して形成されている。この種の髪飾りとして、下記特許文献１に記載されるものが知られている。
【特許文献１】実用新案登録第３０３６９４６号公報
【考案の開示】
【考案が解決しようとする課題】
【０００３】
しかし、従来のこの種の髪飾りは、装飾体がヘアークリップに接着されているため、例えば、使用者が装飾体に飽きて装飾体を変えたいと思った場合、或いはＴＰＯに合わせて、相違した装飾体の髪飾りを使用したいと思った場合、各装飾体をヘアークリップに接着した、複数の髪飾りを用意する必要があった。このため、使用者は好みに合った装飾体付きの髪飾りを、装飾体の数だけ購入し、保管することとなり、購入費が嵩み、髪飾りの保管場所も多く必要となるなど課題があった。
【０００４】
本考案は、上述の課題を解決するものであり、被取付部に対し装飾体を簡単に着脱可能に装着して、装飾体を簡易に付け替えて使用可能とすることができる装飾体の取付構造を提供することを目的とする。
【課題を解決するための手段】
【０００５】
本考案に係る装飾体の取付構造は、装飾体が被取付部に対しマグネット止め具を介して着脱可能に取り付けられる装飾体の取付構造であって、該被取付部にはマグネット止め具本体が取着され、該装飾体の底部には、該マグネット止め具本体に吸着可能な磁性金属板が取着され、装飾体の底部の磁性金属板を被取付部上のマグネット止め具本体に吸着させて使用することを特徴とする。
【０００６】
ここで、本考案を髪飾りに適用した場合、被取付部としてヘアークリップを使用し、ヘアークリップの上部にマグネット止め具本体を接着する。そして、装飾体として例えば造花の底部に磁性金属板を接着し、磁性金属板をマグネット止め具本体に吸着させて、造花の装飾体をヘアークリップ上に着脱可能に取り付け、髪飾りとすることができる。
【０００７】
これによれば、使用者は好みの造花を装飾体として複数種類作り、或いは購入しておき、ＴＰＯに合わせてそれらの造花を選択し、ヘアークリップ上に簡便に付け替えて使用することができる。また、被取付部としては、ヘアークリップの他、鞄、靴を例示することができ、装飾体としては、造花のほか、ガラス装飾品、宝石などを例示することができる。
【考案の効果】
【０００８】
このように、上記構成の装飾体の取付構造によれば、装飾体がマグネット止め具を介してヘアークリップなどの被取付部に着脱可能に取り付けられるため、例えば、使用者は各種の色、形、大きさの造花などからなる複数の装飾体を予め購入しておき、いつも使用する装飾体に飽きて装飾体を変えたいと思った場合、或いはＴＰＯに合わせていつもと違う装飾体を付け替えて使用したいと思った場合、好みの装飾体をヘアークリップなどの被取付部に付け替えて使用することができる。
【０００９】
したがって、使用者は好みに合った装飾体の髪飾りなどを、装飾体の数だけ購入する必要はなく、ヘアークリップなどの被取付部は１個購入するのみでよい。このため、髪飾りなどの購入費を抑えることができると共に、それらを収納する際、嵩張らなくなるため、その保管場所も少なくすることができる。
【００１０】
また、被取付部としてヘアークリップ、装飾体として造花を使用し、ヘアークリップの上部にマグネット止め具本体を接着し、造花の底部に磁性金属板を接着し、その磁性金属板をマグネット止め具本体に吸着させて、造花の装飾体をヘアークリップ上に取り付ける構成とすれば、マグネットを内蔵したマグネット止め具本体は１個でよく、より簡単な構成の磁性金属板を装飾体としての造花の底部に接着すればよいため、各種の装飾体を付け替えて使用可能な髪飾りをより低いコストで簡単に製作することができる。
【考案を実施するための最良の形態】
【００１１】
以下、本考案の一実施形態を図面に基づいて説明する。図１は装飾体としての造花３を、被取付部としてのヘアークリップ２に取り付けた髪飾り１の正面図を示している。この髪飾り１は、ヘアークリップ２の上部に、マグネット止め具４を介して、図２のように、造花３を付け替え可能に取り付けて構成されている。
【００１２】
ヘアークリップ２は、図３、図４に示すように、所謂コンコルドクリップ形に形成され、クリップ本体部２１の下部に、クリップ可動部２２が枢軸２３を介して回動可能に枢支されている。クリップ本体部２１とクリップ可動部２２はその先端部が細長く形成され、その元部が枢軸２３により相互に連結され、所定の角度範囲内で回動可能となっている。
【００１３】
また、クリップ本体部２１とクリップ可動部２２間の元部側に、トーションばね２４が介装され、ヘアークリップ２の先端側（図２の左側）を閉じる方向に付勢している。これにより、ヘアークリップ２はその元部を閉じる方向に押えると、クリップの先端側が開き、その間に髪の毛を挟み、トーションばね２４の付勢力により、挟持することができる。
【００１４】
このようなヘアークリップ２のクリップ本体部２１上に、マグネット止め具４のマグネット止め具本体５が固着される。マグネット止め具本体５は、図４、図５に示すように、磁性金属カバーの内側に、リング状のマグネット（フェライト、ネオジウムなど）６を収納して円盤状に形成され、上部中央に円形凹部８が形成されている。
【００１５】
また、マグネット止め具本体５の底部には、取付座７が金属板により曲げ可能に形成されている。マグネット止め具本体５は、この取付座７をクリップ本体部２１の上曲面に合わせて曲げながら当接される。そして、ヘアークリップ２のクリップ本体部２１の上面に、この取付座７を接着剤により接着することにより、マグネット止め具本体５は、ヘアークリップ２上に強固に固着される。
【００１６】
一方、装飾体となる造花３は、各種の色の布地を用いて色々の花の形に形成される。特に、造花３は、使用者の好みに合わせて、様々な形や色のものが製作され、それらの造花装飾体が使用者の好みやＴＰＯに合わせて選択して使用される。また、各造花３の底部には、図５〜図７のように、マグネット止め具４の磁性金属板１０が接着剤により固着される。磁性金属板１０は、磁性金属板により円形に形成され、その底部中央には、円形凸部１２が形成され、この円形凸部１２は上記マグネット止め具本体５の円形凹部８に嵌合する大きさに突出して形成されている。また、磁性金属板１０の上部には、取付座１１が曲げ可能な金属板により形成され、造花３の底部の曲面に合わせて曲げられる。そして、磁性金属板１０は、その取付座１１を造花３の底部に当てた状態で、接着剤により接着される。
【００１７】
上記構成の髪飾りでは、使用者は、自分の好みに合った各種の形、色の造花３を装飾体として製作し或いは購入する。一方、ヘアークリップ２は、１個のみ製作し或いは購入すればよい。これにより、髪飾りの購入費を抑えることができ、嵩張らなくなるため、その保管場所も小さくすることができる。
【００１８】
特に、髪飾りを保管する場合、装飾体が造花３のようなものの場合、造花を変形させないために、少し大形のケースに髪飾りを収納することになるが、本考案のように、収納する際には、造花３をヘアークリップ２から外して収納保管することができるから、複数の造花３は、専用の仕切りを入れた収納ケース内にコンパクトに収納保管することができる。また、ヘアークリップ２はその形状が細いため、どのようなケースの隙間でも容易に収納することができ、収納スペースが少なくてすむのである。
【００１９】
このように構成された髪飾りを使用者が使用する場合、使用者はその日の気分に合わせて、或いはＴＰＯに合わせて髪飾りの造花を選ぶことができる。例えば、華やかな場所に出かける場合には、図８に示すような華やかな色の造花３３を、ヘアークリップ２に取り付けて使用する。
【００２０】
また、造花の装飾体に飽きた場合には、他の装飾体に容易に変更することができ、例えば、各種のガラス装飾物、宝石などの装飾体に付け替えることもできる。つまり、ガラス装飾物、宝石など使用者の好み装飾体を用意し、その底部に磁性金属板１０を接着しておけば、いつでもヘアークリップ２の上部のマグネット止め具本体５に、それを吸着させて使用することができる。
【００２１】
なお、上記実施形態では、髪飾りについて説明したが、髪飾りの他に、鞄に装飾体を付ける場合、或いは靴に装飾体を付ける場合などに本考案を適用することができる。鞄の場合、被取付部が鞄の外側部となり、装飾体としては手工芸品などが使用可能であり、それらの装飾体を、マグネット止め具を介して付け替え可能に鞄に取り付ければよい。また、靴の場合、被取付部が靴の前上部となり、そこに手工芸品などの装飾体を、マグネット止め具を介して付け替え可能に取り付けることになる。
【図面の簡単な説明】
【００２２】
【図１】本考案の一実施形態を示す髪飾りの正面図である。
【図２】造花をヘアークリップから外した状態の正面図である。
【図３】ヘアークリップの斜視図である。
【図４】ヘアークリップにマグネット止め具を取り付ける際の斜視図である。
【図５】装飾体の造花の斜視図である。
【図６】造花の下側から見た斜視図である。
【図７】マグネット止め具の磁性金属板を取り付ける際の斜視図である。
【図８】造花を付け替えた状態の髪飾りの正面図である。
【符号の説明】
【００２３】
１  髪飾り
２  ヘアークリップ（被取付部）
３  造花（装飾体）
４  マグネット止め具
５  マグネット止め具本体
１０  磁性金属板
２１  クリップ本体
２２  クリップ可動部                                    
【図１】
0003127192.tif 000003
【図２】
0003127192.tif 000004
【図３】
0003127192.tif 000005
【図４】
0003127192.tif 000006
【図５】
0003127192.tif 000007
【図６】
0003127192.tif 000008
【図７】
0003127192.tif 000009
【図８】
0003127192.tif 000010